(57)【特許請求の範囲】
【請求項１】
連続紙の折り目間の長さに基づき、連続紙印刷装置の用紙排出部に設けたベルトコンベアの搬送速度を切り替える手段を有することを特徴とする連続紙印刷装置のベルトコンベア式スタッカ。
【発明の詳細な説明】
【０００１】
【発明の属する技術分野】
本発明は、連続紙印刷装置のベルトコンベア式スタッカに関する。
【０００２】
【従来の技術】
図１は、従来のベルトコンベア式スタッカ付きの熱定着方式レーザビームプリンタの模式図である。
【０００３】
レーザビームプリンタに対し、そのコントロールを行うコントローラより印刷動作開始の信号が発行されると感光体１が回転を始める。感光体１はレーザビームプリンタの印刷速度に相当する速度で回転し、印刷動作が終了するまで回転を続ける。
【０００４】
感光体１が回転を開始すると帯電器２に正の高電圧を印加し、感光体１の表面に正電荷を一様に帯電させる。
【０００５】
ポリゴンミラー３は、多面体の反射鏡でプリンタに電源が投入されると直ちに回転を開始し、電源が投入されている限り、高精度の定速回転をしている。そして、レーザチューブ４より出力されたレーザ光がポリゴンミラー３で反射し、Ｆθレンズ５を通して感光体１上をスキャンされながら照射される。
【０００６】
コントローラからドットイメージに変換された文字や図形データが、レーザ光ＯＮ／ＯＦＦ信号としてレーザビームプリンタに発行され、感光体１面上にレーザ光が照射される部分とされない部分ができる。レーザ光の照射により感光体１上の電荷が消失し、その部分が現像機６の前に達すると正に帯電したトナーが静電気により吸引され、感光体１上にトナー像が形成される。
【０００７】
レーザ光によって感光体１上に形成された印刷データの先頭が転写器７の前にくるタイミングに、そのデータが印刷される用紙１３の先頭（用紙折りミシン目）が転写器７の前にくるようにトラクタ８ａ、８ｂが駆動される。
【０００８】
トラクタ８ａ、８ｂにより用紙１３は、ホッパ部より、感光体１、現像機６、転写器７からなる現像部を経て定着部へ搬送される。
【０００９】
定着器９に達した用紙１３は、予熱板１０で予熱された後、熱ロール１１と圧力ロール１２とにより加圧、加熱されながら搬送されることでトナー像が用紙１３に溶融定着される。
【００１０】
印刷の終了した用紙１３は、その折りミシン目に従い、スイングフィン１４の揺動動作により折り分けられた後、回転するパドル１５により折り畳まれながらコンベアベルト１７上に積み上げられる。コンベアベルト１７は印刷中に駆動され、用紙１３を搬送する。
【００１１】
ここで、図２、図３にしたがって、ベルトコンベア式スタッカの動作の説明をする。図２はベルトコンベア式スタッカの概略図、図３にベルトコンベア式スタッカの制御系のブロック図である。ベルトコンベア式スタッカの制御系は、ＣＰＵ、ＲＯＭ、ＲＡＭ等からなるマイクロコンピュータ部２７、ステッピングモータ制御部２８、ステッピングモータ２２およびブロア制御部２９、ブロア２３よりなる。それぞれの詳細は、一般的な制御系であるため説明を省略する。
【００１２】
コントローラより印刷データが出力されると、印刷装置の紙送り動作が開始され、Ｐ  ＦＥＥＤ−Ｐ信号がＯＮとなる。この信号が出力されると、マイクロコンピュータ部２７よりコンベアベルト駆動信号ＢＥＬＴ  ＤＲＶ−Ｐ信号が、ステッピングモータ制御部２８に対し出力される。これによりステッピングモータ２２が回転を開始し、コンベアベルト１７を駆動することにより印刷後の用紙１３を一定速度にて搬送する。同様に、Ｐ  ＦＥＥＤ−Ｐ信号がＯＮとなるとＢＬＯＷＥＲ  ＤＲＶーＰ信号がブロア制御部２９に出力されブロア２３が回転を開始し、ダクト２４から風を送り出し印刷後の用紙１３を冷却する。
【００１３】
【発明が解決しようとする課題】
従来、コンベアベルト１７が用紙１３を搬送する速度、すなわちステッピングモータ２２の回転数は印刷される用紙の用紙長に関係無く一定であり、また、印刷装置の印刷速度（紙送り速度）も一定であったためプリンタから排出された用紙と用紙の間隔Ｘが用紙長Ｌにより異なっていた。要するに、印刷される用紙の用紙長をＬ（inch）、印刷装置の印刷速度（紙送り速度）をＶ（inch／sec）とすれば、単位時間に印刷装置から排出される用紙の頁数はＶ／Ｌ（page／sec）となり、用紙長Ｌが小さい場合は単位時間にコンベアベルト１７上に排出される頁数Ｖ／Ｌが多くなるため、図４（ａ）に示すように用紙間隔Ｘが小さくなる。一方、用紙長Ｌが大きい場合は頁数Ｖ／Ｌが少なくなるため、図４（ｂ）に示すように用紙間隔Ｘが大きくなってしまう。
【００１４】
すなわち、用紙間隔Ｘが小さいと印刷後の用紙が密となることからブロア２３からの送風が吹き抜けず用紙冷却不十分となり、用紙１３に印字されたトナーが再度、溶融して前の用紙にくっついてしまう。また、用紙間隔Ｘが大きいと印刷後の用紙が疎となることから用紙１３がブロア２３の送風に煽られやすくなり用紙１３の整列性が悪く、オペレータが整列し直すという作業負担があった。
【００１５】
本発明の目的は、印刷後の用紙のトナー再溶融の防止、及び、オペレータが用紙を整列し直す作業負担を低減することである。
【００１６】
【課題を解決するための手段】
上記目的は、連続紙の折り目間の長さに基づき、連続紙印刷装置の用紙排出部に設けたベルトコンベアの搬送速度を切り替える手段を設けることにより達成される。
【００１７】
コンベアベルトの搬送速度、すなわちステッピングモータ２２の回転数を印刷される用紙の用紙長毎に切り替えることにより、ベルトコンベア上の用紙頁数が一定となるため搬送される印刷終了後の用紙の間隔が用紙長に関係無く、常に適切な一定値になるので、印刷後の用紙のトナー再溶融の防止、及び、オペレータが用紙を整列し直す作業負担を低減することができる。
【００１８】
【発明の実施の形態】
本発明を示す実施例の構成は特に従来と変わらないため、その説明は省略する。本発明となる制御方法を以下に説明する。用紙長検出センサ１６による用紙長情報に従ってコンベアベルト１７を駆動しているステッピングモータ２２の回転数を予め決められていた値にセットする。前述したとように、単位時間に印刷装置から排出される用紙はＶ／Ｌ（page／sec）となる。
【００１９】
ここで、本印刷装置にて印刷可能な用紙長Ｌの範囲をＬmin 〜 Ｌmax（inch）とした時に用紙長が（Ｌmin＋Ｌmax）／２（inch）である時のトナースティックの発生がなく、かつ、用紙の整列性が良好となる適切なコンベアベルト４の搬送速度をＳとすれば、用紙長Ｌ＝Ｌｘの時のコンベアベルト４の搬送速度をＳxは、Ｓ・（（Ｌmin＋Ｌmax）／２）／Ｌx
となる。
【００２０】
一方、印刷装置から排出される用紙はＶ／Ｌx（page／sec）であるから、ベルトコンベア上の一定の距離上にのる用紙の頁数は、
0003797392.tif 000002
となり、ベルトコンベア上の一定距離上にのる用紙の頁数を用紙長Ｌに関係なく一定にできる。
【００２１】
【発明の効果】
本発明によれば、印刷される用紙の用紙長に関係なく、ベルトコンベア上の用紙と用紙の間隔を適切な一定距離にすることにより、印刷後の用紙のトナー再溶融の防止および整列性を向上することができ、オペレータへの作業負担を軽減できる。
【図面の簡単な説明】
【図１】プリンタの用紙排出部の模式図である。
【図２】ベルトコンベア式スタッカの概略図である。
【図３】ベルトコンベア式スタッカの制御系のブロック図である。
【図４】（ａ）は用紙長が小さい場合における従来のベルトコンベア式スタッカ上の印刷後の用紙の状態を表した模式図である。（ｂ）は用紙長が大きい場合における従来のベルトコンベア式スタッカ上の印刷後の用紙の状態を表した模式図である。
【符号の説明】
１…感光体、２…帯電器、３…ポリゴンミラー、４…レーザチューブ、５…Ｆθレンズ、６…現像機、７…転写器、８ａ…トラクタ、８ｂ…トラクタ、９…定着器、１０…予熱板、１１…熱ロール、１２…圧力ロール、１３…用紙、１４スイングフィン、１５パドル、１６…用紙長検出センサ、１７…コンベアベルト、１８…タイミングプーリ、１９…シャフト、２０…タイミングベルト、２１…タイミングプーリ、２２…ステッピングモータ、２３…ブロア、２４…ダクト、２５…シャフト、２６…コンベアテーブル、２７…マイクロコンピュータ部、２８…ステッピングモータ制御部、２９…ブロア制御部
【図１】
0003797392.tif 000003
【図２】
0003797392.tif 000004
【図３】
0003797392.tif 000005
【図４】
0003797392.tif 000006